(57)【要約】【課題】自車を後退させて障害物に隣接する駐車空間に並列駐車させる駐車支援を行う場合に、車両が駐車空間に対して大きく傾いて駐車されてしまう不具合を生じにくくする。【解決手段】駐車空間Ｃに自車Ａが進入する際に後部測距センサ３ａ・３ｂで逐次検知される検知結果の点列をもとに、側方障害物の車両対向面の、地上面を基準とした平面座標系における輪郭形状の直線らしさを、直線性決定処理（Ｓ８）において決定する。そして、直線性決定処理で決定した直線らしさが所定の閾値を超えていない車両対向面が一方でも存在する場合には、直線らしさがより高い車両対向面に沿った向きで自車Ａを駐車空間Ｃに並列駐車させるように、車両走行を支援する。【選択図】図１
2014034321.tif 000002
【特許請求の範囲】
【請求項１】
車両に搭載され、
前記車両の側方に送信する探査波の反射波を受信することで前記車両の側方の障害物である側方障害物までの距離を検知する測距センサ（３、３ａ、３ｂ）の検知結果を取得するセンサ情報取得手段（１、Ｓ７）と、
前記車両を後退させて駐車空間に並列駐車させる車両走行を支援する支援手段（１、Ｓ５、Ｓ１０、Ｓ１１、Ｓ１２）とを備える駐車支援装置（１）であって、
前記センサ情報取得手段で取得する、前記駐車空間に前記車両が進入する際に前記測距センサで逐次検知される検知結果の点列をもとに、前記側方障害物の前記車両側に向いた面である車両対向面の、地上面を基準とした平面座標系における輪郭形状の直線らしさを決定する直線性決定手段（１、Ｓ８）を備え、
前記支援手段は、前記直線性決定手段で決定した直線らしさが所定の閾値を超えていない前記車両対向面が一方でも存在する場合には、直線らしさがより高い前記車両対向面に沿った向きで前記車両を前記駐車空間に並列駐車させるように、車両走行を支援することを特徴とする駐車支援装置。
【請求項２】
請求項１において、
前記支援手段は、前記車両の左右両方の前記車両対向面について、前記直線性決定手段で決定した直線らしさが所定の閾値を超えている場合には、前記車両の左右の前記車両対向面の輪郭形状間の中心を通る線を、車両前後方向の中心軸として前記車両を前記駐車空間に並列駐車させるように、車両走行を支援することを特徴とする駐車支援装置。
【請求項３】
請求項１又は２において、
前記直線性決定手段は、複数の区分に分けた前記輪郭形状のうちの、傾きの差が所定値内の区分の集合をそれぞれ直線部分とし、その直線部分の長さを前記輪郭形状の直線らしさと決定することを特徴とする駐車支援装置。
【請求項４】
請求項３において、
前記支援手段は、前記直線性決定手段で決定した直線らしさが所定の閾値を超えていない前記車両対向面が一方でも存在する場合には、直線らしさがより高い前記車両対向面のうちの、前記直線部分の長さが最も長い部分に沿った向きで前記車両を前記駐車空間に並列駐車させるように、車両走行を支援することを特徴とする駐車支援装置。
【請求項５】
請求項３又は４において、
前記支援手段は、前記輪郭形状のうちに、最も長い前記直線部分に対して前記車両側に突出している部分がある場合には、並列駐車完了時に、その突出している部分の突端部と前記車両の側面との間に予め設定した間隔が空くように、車両走行を支援することを特徴とする駐車支援装置。
【請求項６】
請求項１又は２において、
前記直線性決定手段は、前記点列から相関係数を算出し、算出した相関係数を前記輪郭形状の直線らしさと決定することを特徴とする駐車支援装置。
【請求項７】
請求項１〜６のいずれか１項において、
前記支援手段は、
目標とする駐車角度に合わせるために、複数回の後退と前進との繰り返し運転である切り返しを行う必要がある場合には、その切り返しについても支援するとともに、１度の切り返しで変化させる車両角度に上限値を設けているものであって、
前記直線性決定手段で決定した直線らしさに応じて、前記上限値を変化させることを特徴とする駐車支援装置。
【請求項８】
請求項７において、
前記支援手段は、前記直線性決定手段で決定した直線らしさが第１の閾値以上の場合には、前記上限値を高くする一方、前記直線性決定手段で決定した直線らしさが第１の閾値未満の第２の閾値以下の場合には、前記上限値を低くすることを特徴とする駐車支援装置。
【発明の詳細な説明】
【技術分野】
【０００１】
本発明は、駐車支援装置に関するものである。
【背景技術】
【０００２】
従来、車両を後退させて駐車空間に並列駐車させる操作を支援する技術が知られている。例えば、特許文献１には、予め決定した駐車軌跡に沿って駐車空間に車両を後退させるとともに、後退中に探知した駐車空間の側方物体の形状に応じて駐車軌跡を補正する技術が開示されている。
【０００３】
特許文献１に開示の技術では、後退を開始する前に車両が駐車空間を通り過ぎる部分の道路に対して、直交する方向を駐車空間の目標方位とするとともに、駐車空間の側方物体の形状を直線で表現する。そして、これらの直線が、十分に平行に延在していないが目標方位と同様の向きをしている場合には、目標方位との差異が最も小さい直線を駐車空間の実際の向きとし、この向きと目標方位とのずれに応じて駐車軌跡を補正する。
【先行技術文献】
【特許文献】
【０００４】
【特許文献１】特表２０１１−５２２７３７号公報
【発明の概要】
【発明が解決しようとする課題】
【０００５】
しかしながら、特許文献１に開示の技術では、駐車空間の左右の側方物体の駐車空間に向いた面のうちの一方の面の一部が、壁に沿って置かれている付帯物等の存在によって実際よりも傾いて検出される場合に、この傾いて検出された面を基準に目標方位とのずれを判断することで、実際の状況に適合していない駐車軌跡に補正されてしまう不具合が生じる。そして、実際の状況に適合していない駐車軌跡に補正されてしまった結果、車両が駐車空間に対して大きく傾いて駐車されてしまう不具合が生じてしまう。
【０００６】
本発明は、上記従来の問題点に鑑みなされたものであって、その目的は、自車を後退させて障害物に隣接する駐車空間に駐車させる駐車支援を行う場合に、車両が駐車空間に対して大きく傾いて駐車されてしまう不具合を生じにくくすることを可能にする駐車支援装置を提供することにある。
【課題を解決するための手段】
【０００７】
本発明の駐車支援装置は、車両に搭載され、車両の側方に送信する探査波の反射波を受信することで車両の側方の障害物である側方障害物までの距離を検知する測距センサ（３、３ａ、３ｂ）の検知結果を取得するセンサ情報取得手段（１、Ｓ７）と、車両を後退させて駐車空間に並列駐車させる車両走行を支援する支援手段（１、Ｓ５、Ｓ１０、Ｓ１１、Ｓ１２）とを備える駐車支援装置（１）であって、センサ情報取得手段で取得する、駐車空間に車両が進入する際に測距センサで逐次検知される検知結果の点列をもとに、側方障害物の車両側に向いた面である車両対向面の、地上面を基準とした平面座標系における輪郭形状の直線らしさを決定する直線性決定手段（１、Ｓ８）を備え、支援手段は、直線性決定手段で決定した直線らしさが所定の閾値を超えていない車両対向面が一方でも存在する場合には、直線らしさがより高い車両対向面に沿った向きで車両を駐車空間に並列駐車させるように、車両走行を支援することを特徴としている。
【０００８】
これによれば、駐車空間に車両が後退して進入する際の自車の側方障害物のうち、車両対向面の輪郭形状がより直線らしい側の車両対向面に沿った向きで車両を駐車空間に並列駐車させる支援が行われることになる。付帯物等の存在によって車両対向面の輪郭形状の一部が傾いて検出されるような場合には、この車両対向面の輪郭形状は、付帯物等が存在しない側の車両対向面の輪郭形状よりも直線らしさが低くなる。よって、以上の構成によれば、付帯物等の存在によって輪郭形状の一部が傾いて検出されるような車両対向面に沿った向きで車両を駐車空間に並列駐車させることが回避される。
【０００９】
また、直線らしさがより高い車両対向面は、付帯物等が存在しない側の駐車車両や壁など、輪郭形状の一部が傾いていない可能性がより高いので、この車両対向面に沿った向きで車両を駐車空間に並列駐車させるように支援することで、車両が駐車空間に対して傾いて駐車されにくくすることが可能になる。
【００１０】
その結果、自車を後退させて障害物に隣接する駐車空間に並列駐車させる駐車支援を行う場合に、車両が駐車空間に対して大きく傾いて駐車されてしまう不具合を生じにくくすることが可能になる。
【図面の簡単な説明】
【００１１】
【図１】駐車支援システム１００の概略的な構成を示すブロック図である。
【図２】駐車支援システム１００での駐車支援の概略を説明するための模式図である。
【図３】駐車支援ＥＣＵ１での後退駐車支援関連処理のフローの一例を示すフローチャートである。
【図４】直線らしさの決定の方法を説明するための模式図である。
【図５】側方障害物の車両対向面の輪郭形状の一例を説明するための模式図である。
【図６】目標駐車位置の補正の一例を説明するための模式図である。
【図７】一度の切り返しで補正する自車Ａの傾きについて説明するための模式図である。
【発明を実施するための形態】
【００１２】
以下、本発明の実施形態について図面を用いて説明する。図１に示す駐車支援システム１００は、駐車支援ＥＣＵ１、前部測距センサ２、後部測距センサ３、後方カメラ４、舵角センサ５、車輪速センサ６、表示装置７、及び音声出力装置８を含んでいる。例えば、駐車支援ＥＣＵ１と前部測距センサ２、後部測距センサ３、後方カメラ４、舵角センサ５、車輪速センサ６、表示装置７、及び音声出力装置８とは、ＣＡＮ（controller areanetwork）などの通信プロトコルに準拠した車内ＬＡＮで各々接続されている構成とすればよい。なお、駐車支援システム１００を搭載している車両を以降では自車と呼ぶ。
【００１３】
前部測距センサ２及び後部測距センサ３は、探査波を送信し、障害物で反射されるその探査波の反射波を受信することで障害物までの距離を検知するために用いられるセンサである。前部測距センサ２及び後部測距センサ３は、探査波を送信し、その探査波の反射波を受信するセンサであればよく、音波を用いるものであっても、光波を用いるものであっても、電波を用いるものであってもよい。例えば、前部測距センサ２及び後部測距センサ３としては、超音波センサ、レーザレーダ、ミリ波レーダ等のセンサを用いることができる。
【００１４】
前部測距センサ２は、指向性の中心線が自車の車軸方向から自車前方に傾くように、例えば自車の前部バンパの左右側面に１つずつ配置される。前部測距センサ２の指向性の中心線は、自車の車軸方向から例えば２０°程度まで自車前方に傾いて配置されていてもよい。これにより、前部測距センサ２からは、少し前方寄りの側方に向けて探査波が送信される。以降では、自車左側の前部測距センサ２を前部測距センサ２ａ、自車右側の前部測距センサ２を前部測距センサ２ｂとする。
【００１５】
なお、前部測距センサ２は、自車の前部バンパの左右側面に１つずつ配置される構成に限らず、自車の前部バンパの前方に向いた面にも例えば２つずつ配置されるなど、さらに多く配置される構成としてもよい。
【００１６】
後部測距センサ３は、指向性の中心線が自車の車軸方向から自車後方に傾くように、例えば自車の後部バンパの左右側面に１つずつ配置される。後部測距センサ３の指向性の中心線は、自車の車軸方向から例えば２０°程度まで自車後方に傾いて配置されていてもよい。これにより、後部測距センサ３からは、少し後方寄りの側方に向けて探査波が送信される。以降では、自車左側の後部測距センサ３を後部測距センサ３ａ、自車右側の後部測距センサ３を後部測距センサ３ｂとする。
【００１７】
なお、後部測距センサ３は、自車の後部バンパの左右側面に１つずつ配置される構成に限らず、自車の後部バンパの後方に向いた面にも例えば２つずつ配置されるなど、さらに多く配置される構成としてもよい。後部測距センサ３（３ａ・３ｂ）が請求項の測距センサに相当する。
【００１８】
前部測距センサ２及び後部測距センサ３の指向性は、想定されている車速範囲での使用において送受波を良好に行うことができる程度の広さがありさえすれば、より狭い方が好ましい。
【００１９】
ここで、前部測距センサ２を用いた駐車空間に隣接した駐車車両や壁等の障害物及び駐車空間の検出態様の一例についての説明を行う。ここでは、便宜上、自車の左側に障害物に挟まれた駐車空間が存在する場合を例に挙げて説明を行う。以降では、図２の例をもとに説明を続けるものとする。
【００２０】
図２中のＡが自車を示しており、黒塗りの矢印が自車Ａの進行方向を示しており、Ｂ１・Ｂ２が自車の前進時の進行方向に対して奥側の障害物、Ｂ３が手前側の障害物を示している。なお、障害物Ｂ２は障害物Ｂ１の付帯物であるものとする。また、図２中のＣが障害物Ｂ１・Ｂ２と障害物Ｂ３とに挟まれた駐車空間を示している。
【００２１】
自車Ａは、自車Ａの左側に配置された前部測距センサ２ａから自車Ａの少し前方寄りの左側方に向けて探査波を逐次送信しながら障害物Ｂ３、駐車空間Ｃ、障害物Ｂ１・Ｂ２の側方を通過しつつ、障害物Ｂ３、障害物Ｂ１・Ｂ２からの反射波を逐次受信することになる。そして、自車Ａが走行しながら前部測距センサ２ａで逐次受信した反射波をもとにして、自車Ａの通過した経路並びに自車Ａのこれから通過する経路の左側方に存在する障害物Ｂ１・Ｂ２、障害物Ｂ３に隣接する駐車空間Ｃを、駐車支援ＥＣＵ１が検出する。
【００２２】
後方カメラ４は、自車Ａの例えば後部バンパよりも上方に設置され、自車後方に所定角範囲で広がる領域を撮像するものである。後方カメラ４は、光軸が車体後部の路面を向くように設置される。例えば後方カメラ４としては、ＣＣＤカメラを用いる構成とすればよい。後方カメラ４が撮像した自車後方周辺の画像情報は、駐車支援ＥＣＵ１に供給される。
【００２３】
舵角センサ５は、自車Ａのステアリングの操舵角を検出するセンサであり、自車Ａが直進状態で走行するときの操舵角を中立位置（０度）とし、その中立位置からの回転角度を操舵角として出力する。なお、この操舵角は、中立位置から右回転する場合には正（＋）の符号を付して出力され、中立位置から左回転する場合には負（−）の符号を付して出力される。また、車輪速センサ６は、各転動輪の回転速度から自車Ａの速度を検出するセンサである。
【００２４】
表示装置７は、駐車支援ＥＣＵ１の指示に従ってテキストや画像を表示する。例えば表示装置７は、フルカラー表示が可能なものであり、液晶ディスプレイ、有機ＥＬディスプレイ、プラズマディスプレイ等を用いて構成することができる。また、表示装置７としては、例えば、車載ナビゲーション装置に設けられたディスプレイを利用する構成としてもよいし、車載ナビゲーション装置のディスプレイとは別に、インストゥルメントパネル等に設けたディスプレイを用いる構成としてもよい。
【００２５】
音声出力装置８は、スピーカ等から構成され、駐車支援ＥＣＵ１の指示に従って音声を出力する。なお、音声出力装置８としては、例えば、車載ナビゲーション装置に設けられた音声出力装置を利用する構成としてもよい。
【００２６】
駐車支援ＥＣＵ１は、主にマイクロコンピュータとして構成され、何れも周知のＣＰＵ、ＲＯＭ・ＲＡＭ・ＥＥＰＲＯＭ等のメモリ、Ｉ／Ｏ、及びこれらを接続するバスによって構成される。駐車支援ＥＣＵ１は、前部測距センサ２、後部測距センサ３、後方カメラ４、舵角センサ５、車輪速センサ６から入力された各種情報に基づき、ＲＯＭに記憶された各種の制御プログラムを実行することで自車を後退させて駐車空間へ並列駐車させるための駐車支援に関する処理（以下、後退駐車支援関連処理）等の各種の処理を実行する。駐車支援ＥＣＵ１が請求項の駐車支援装置に相当する。
【００２７】
ここで、図３のフローチャートを用いて、駐車支援ＥＣＵ１での後退駐車支援関連処理についての説明を行う。本フローは、駐車支援ＥＣＵ１が所定の開始トリガを検出したときに開始される。開始トリガとしては、例えば図示しない駐車支援開始スイッチをオンにする操作入力などが挙げられる。
【００２８】
まず、ステップＳ１では、駐車空間検出処理を行って、ステップＳ２に移る。駐車空間検出処理では、障害物Ｂ３、駐車空間Ｃ、障害物Ｂ１・Ｂ２の横を前進しながら通過する際に、前部測距センサ２ａから逐次得られる障害物Ｂ１・Ｂ２、障害物Ｂ３までの距離を逐次（例えば１００ｍｓｅｃごと）取得する。そして、取得した障害物までの距離を時系列に記憶した距離データ系列（点列）から、障害物Ｂ１・Ｂ２、障害物Ｂ３の輪郭形状を特定して駐車空間Ｃを検出する。
【００２９】
ここで、距離データ系列から特定される障害物Ｂ１・Ｂ２、障害物Ｂ３の輪郭形状は、自車Ａの通過した経路側に向いた面の、地上面を基準とした平面座標系における輪郭形状である。また、ここでは、障害物Ｂ２は障害物Ｂ１の付帯物であるため、障害物Ｂ１と障害物Ｂ２との輪郭形状は一体であるものとして特定されてしまうものとする。
【００３０】
一例としては、特開２００８−２１０３９号公報に開示されているのと同様の公知の方法によって、距離データ系列（点列）を楕円もしくは放物線により近似した上で障害物Ｂ１・Ｂ２、障害物Ｂ３の輪郭形状を特定する。そして、特定した輪郭形状から、障害物Ｂ１・Ｂ２と障害物Ｂ３とに挟まれる駐車空間Ｃを検出する。
【００３１】
ステップＳ２では、自車Ａが駐車可能な駐車空間Ｃであるか否かを判定する。自車Ａが駐車可能な駐車空間Ｃであるか否かは、駐車空間Ｃの大きさと自車Ａの寸法とに基づいて判定する。ここで言うところの駐車空間Ｃの大きさとは、自車Ａの通過した経路方向における駐車空間Ｃの長さとする。また、自車Ａの寸法は、駐車支援ＥＣＵ１の例えばＥＥＰＲＯＭ等の不揮発性メモリに予め記憶されているものとすればよい。
【００３２】
そして、自車Ａが駐車可能と判定した場合（ステップＳ２でＹＥＳ）には、ステップＳ３に移る。また、自車Ａが駐車可能でないと判定した場合（ステップＳ２でＮＯ）には、ステップＳ１に戻り、障害物Ｂ１・Ｂ２よりも自車Ａの進行方向に対してさらに奥側に存在する障害物の検出を行ってフローを繰り返す。
【００３３】
ステップＳ３では、目標初期位置算出処理を行って、ステップＳ４に移る。目標初期位置算出処理では、駐車空間検出処理で検出した駐車空間Ｃに自車Ａを駐車する際の目標とする駐車位置（以下、目標駐車位置）及び目標とする駐車角度（以下、目標駐車角度）を設定する。
【００３４】
一例として、駐車空間Ｃにおける自車Ａの前進時の進行方向に対して手前側の縁部から一定距離（例えば６０ｃｍ）だけ離間した位置に設定する。また、目標駐車角度は、自車Ａの前進時に通過した経路のうちの駐車空間Ｃを通過した際の経路に直行する方向に平行に設定する。
【００３５】
ステップＳ４では、駐車経路算出処理を行って、ステップＳ１２に移る。駐車経路算出処理では、自車Ａの現在位置に基づいて後退開始位置を設定し、目標駐車位置及び目標駐車角度で駐車するための駐車経路を決定する。駐車経路の決定方法については、特開２００３−３４２０６号公報や特開２００９−８３８０６号公報に開示されているように公知であるので、詳細については省略する。
【００３６】
ステップＳ５では、駐車支援処理を開始して、ステップＳ６に移る。駐車支援処理では、駐車経路算出処理で算出された駐車経路に沿って自車Ａが走行するように操舵支援や自動操舵を行う。よって、このステップＳ５の処理が請求項の支援手段に相当する。
【００３７】
ここで、操舵支援としては、例えば後方カメラ４で撮像した自車Ａの後方画像に、自車Ａが後退する際に通ると予想される後退予想軌跡を重畳させて表示装置７に表示させたりする。後退予想軌跡については、舵角センサ５から得られる操舵角や車輪速センサ６から得られる車速に基づいて、公知の方法によって算出する構成とすればよい。また、ステアリングの操舵タイミングや操舵量の案内音声を音声出力装置８から出力する構成としてもよい。
【００３８】
ステップＳ６では、自車Ａが後退を開始したことを検知した場合（ステップＳ６でＹＥＳ）には、ステップＳ７に移る。一方、自車Ａが後退を開始したことを検知していない場合（ステップＳ６でＮＯ）には、ステップＳ６のフローを繰り返す。自車Ａが後退を開始したことは、シフト位置が後退位置となったことを示す信号が図示しないシフトポジションセンサから得られたことをもとに駐車支援ＥＣＵ１が検知する構成とすればよい。
【００３９】
ステップＳ７では、側方障害物検出処理を行って、ステップＳ８に移る。側方障害物検出処理では、後退して駐車空間Ｃに進入する際に、後部測距センサ３ａ・３ｂから逐次得られる自車Ａの左右に位置することになる障害物Ｂ１・Ｂ２、障害物Ｂ３までの距離を逐次（例えば１００ｍｓｅｃごと）取得する。そして、取得した障害物Ｂ１・Ｂ２までの距離、障害物Ｂ３までの距離をそれぞれ時系列に記憶する。よって、このステップＳ７の処理が請求項のセンサ情報取得手段に相当する。側方障害物検出処理では、一定数の距離データ系列（点列）をメモリに記憶した後に、ステップＳ８に移る構成とすればよい。
【００４０】
ステップＳ８では、直線性決定処理を行って、ステップＳ９に移る。直線性決定処理では、側方障害物検出処理でそれぞれ時系列に記憶した距離データ系列（点列）を例えば数個分ずつの区分に分けて、その区分内でそれぞれ直線近似を実施する（図４中のＤ参照）。そして、隣接する各区分の近似直線の傾きの差が所定値内に収まる区間（つまり、区分の集合）を直線部分と特定し（図４中のＥ参照）、この直線部分の長さを車両対向面の輪郭形状の直線らしさと決定する。よって、このステップＳ８の処理が請求項の直線性決定手段に相当する。
【００４１】
車両対向面とは、側方障害物の自車側に向いた面である。また、ここでの車両対向面の輪郭形状とは、隣接する区分の近似直線を繋いだ形状である。また、直線らしさについては、自車Ａの左右の側方障害物（障害物Ｂ１・Ｂ２、障害物Ｂ３）の車両対向面の各々について決定する。
【００４２】
また、直線らしさの決定の方法は、上述したものに限らない。例えば、以下のような方法で直線らしさを決定する構成としてもよい。
【００４３】
１つ目の他の方法では、側方障害物検出処理でそれぞれ時系列に記憶した距離データ系列（点列）を順番に結んだ線分のうちの、傾きの差が所定値内の区分を直線部分と特定する。そして、その直線部分に含まれる点列について直線近似を実施し、得られた近似直線の長さを、車両対向面の輪郭形状の直線らしさと決定する。
【００４４】
なお、上述のいずれの方法においても、１つの車両対向面に複数の直線部分が特定された場合に、その各々の直線部分の長さを直線らしさとして決定する構成としてもよいが、本実施形態では、最も長い直線部分の長さを直線らしさとして決定するものとする。
【００４５】
また、２つ目の方法では、側方障害物検出処理でそれぞれ時系列に記憶した距離データ系列（点列）から相関係数を算出し、算出した相関係数を、車両対向面の輪郭形状の直線らしさと決定する構成としてもよい。なお、相関係数が１に近いほど直線らしさが高いことになる。
【００４６】
直線性決定処理では、自車の左右の一方にしか側方障害物が存在しなかった場合には、その一方の側方障害物の車両対向面の輪郭形状の直線らしさを決定するとともに、存在しない側については例えば直線らしさを０と決定する構成とすればよい。
【００４７】
ステップＳ９では、閾値判定処理を行う。閾値判定処理では、直線性決定処理で決定した直線らしさが所定の閾値以上であるか否かの閾値判定を行う。そして、直線らしさが所定の閾値未満の車両対向面が一方でも存在する、つまり、直線らしさが所定の閾値未満のものがある場合（ステップＳ９でＹＥＳ）には、ステップＳ１０に移る。一方、自車Ａの左右の車両対向面の両方について、直線らしさが所定の閾値以上、つまり、直線らしさが所定の閾値未満のものがない場合（ステップＳ９でＮＯ）には、ステップＳ１１に移る。
【００４８】
ステップＳ１０では、第１補正処理を行って、ステップＳ１２に移る。第１補正処理では、より直線らしさが高い車両対向面に沿う方向に、目標駐車角度を補正する。そして、目標駐車角度の補正に合わせて駐車経路も算出し直す。一例としては、より直線らしさが高い車両対向面の輪郭形状のうちの、最も長い直線部分に沿う方向に、目標駐車角度を補正する。
【００４９】
直線部分が一直線になっていない場合には、近似直線を求め、この近似直線に沿う方向に、目標駐車角度を補正する構成とすればよい。また、点列から算出した相関係数を直線らしさと決定する構成とした場合には、より直線らしさが高い車両対向面についての各点列の近似直線に沿う方向に、目標駐車角度を補正する構成とすればよい。
【００５０】
なお、目標駐車角度の補正に合わせて、目標駐車位置も補正を行う構成としてもよいし、補正を行わない構成としてもよい。目標駐車位置の補正も行う場合には、目標駐車位置の補正にも応じて駐車経路を算出し直す。また、目標駐車角度や目標駐車位置の補正に応じて、複数回の後退と前進との繰り返し運転である切り返しが必要となる場合には、この切り返しを行う駐車経路を算出し直すものとする。
【００５１】
ステップＳ１１では、第２補正処理を行って、ステップＳ１２に移る。第２補正処理では、自車Ａの左右の側方障害物の車両対向面の輪郭形状間の中心を通る線（以下、中心線）を、目標駐車位置及び目標駐車角度の自車Ａの前後方向の中心軸として、目標駐車位置及び目標駐車角度を補正する。そして、目標駐車位置及び目標駐車角度の補正に合わせて駐車経路も算出し直す。一例としては、左右の側方障害物の各点列のうちの同時点に検知された点同士を結んだ線分の中心点の集合から得られる近似直線を上記中心線とすればよい。
【００５２】
これによれば、左右の側方障害物のいずれも直線らしさが高い場合に、その中間の位置及び角度となるように駐車支援を行うので、例えば左右の駐車車両のうちの一方が駐車枠に対して大きく傾いていた場合にも、この駐車車両に沿って駐車することで自車Ａも大きく傾いてしまうことがないようにすることができる。その結果、自車Ａが駐車空間Ｃに対して大きく傾いて駐車されてしまう不具合を生じにくくすることが可能になる。
【００５３】
ステップＳ１２では、補正後支援処理を開始して、ステップＳ１３に移る。補正後支援処理では、算出し直された駐車経路に沿って自車Ａが走行するように操舵支援や自動操舵を行う。よって、ステップＳ１０〜ステップＳ１２の処理も請求項の支援手段に相当する。
【００５４】
ステップＳ１３では、自車Ａが駐車を完了したことを検知した場合（ステップＳ１３でＹＥＳ）には、フローを終了する。自車Ａが駐車を完了したことは、例えばシフト位置が駐車位置となったことを示す信号が図示しないシフトポジションセンサから得られたことをもとに駐車支援ＥＣＵ１が検知する構成とすればよい。一方、自車Ａが駐車を完了したことを検知していない場合（ステップＳ１３でＮＯ）には、ステップＳ７に戻ってフローを繰り返す。
【００５５】
本実施形態の構成によれば、駐車空間Ｃに自車Ａが後退して進入する際の自車Ａの側方障害物のうち、車両対向面の輪郭形状がより直線らしい側の車両対向面に沿った向きで自車Ａを駐車空間Ｃに並列駐車させる支援が行われることになる。よって、本実施形態の構成によれば、付帯物等の存在によって輪郭形状の一部が傾いて検出されるような車両対向面（図５のＦ参照）に沿った向きで自車Ａを駐車空間Ｃに並列駐車させることが回避される。
【００５６】
また、直線らしさがより高い車両対向面は、付帯物等が存在しない側の駐車車両や壁など、輪郭形状の一部が傾いていない可能性がより高いので、この車両対向面（図５のＧ参照）に沿った向きで自車Ａを駐車空間Ｃに並列駐車させるように支援することで、自車Ａが駐車空間Ｃに対して傾いて駐車されにくくすることが可能になる。従って、自車Ａを後退させて障害物に隣接する駐車空間Ｃに並列駐車させる駐車支援を行う場合に、自車Ａが駐車空間Ｃに対して大きく傾いて駐車されてしまう不具合を生じにくくすることが可能になる。
【００５７】
さらに、駐車支援ＥＣＵ１は、車両対向面の輪郭形状のうちに、最も長い直線部分に対して自車Ａ側に所定値以上突出している部分（図６の破線で示す円を参照）がある場合には、並列駐車完了時に、その突出している部分の突端部と自車Ａの側面との間に予め設定した間隔（図６のＩ参照）が空くように目標駐車位置を補正する構成とすることが好ましい。例えば塀（図６のＢ３参照）の付近に柱（図６のＢ４参照）がある場合に、車両対向面の輪郭形状のうちに、最も長い直線部分に対して自車Ａ側に所定値以上突出している部分が生じる。
【００５８】
また、上記補正に合わせて駐車経路も算出し直すことで、上記突端部と自車Ａの側面との間に予め設定した間隔を空けて並列駐車できるように車両走行を支援する構成とすることが好ましい。これによれば、自車Ａの乗員の乗降車時に通過できるだけの間隔を自車Ａの側面に確保することができる。
【００５９】
他にも、上記突端部と自車Ａの側面との間に予め設定した間隔が空くようにするとともに、自車Ａの側面のうちのドアの配置されている領域（以下、ドア領域）が、車両対向面のうちの最も長い直線部分（以下、最長直線部分）の横に位置するように目標駐車位置を補正したり、当該補正に合わせて駐車経路を算出し直したりする構成としてもよい。これによれば、自車Ａのドアを開くことのできるスペースをより多くとることで、自車Ａの乗員の乗降車をより容易にすることが可能になる。
【００６０】
さらに、自車Ａの左右に側方障害物が検知された場合には、自車Ａの左側のドア領域と左の側方障害物の最長直線部分との間の距離（図６のＪ参照）と、自車Ａの右側のドア領域と右の側方障害物の最長直線部分との間の距離（図６のＫ参照）とが均等になるように目標駐車位置を補正したり、当該補正に合わせて駐車経路を算出し直したりする構成としてもよい。
【００６１】
また、従来の技術では、誤検知等の影響を小さくするため、一度の切り返しで補正する自車Ａの傾き（図７のＬ参照）に上限値を設けていたが、駐車支援ＥＣＵ１は、直線性決定処理で決定した車両対向面の直線らしさに応じて、この上限値を変化させることが好ましい。
【００６２】
従来の技術では、誤検知等の影響を小さくするため、前述したように、一度の切り返しで補正する自車Ａの傾き（つまり、一度の切り返しで補正する車両角度）に上限値を設けていた。しかしながら、その上限値が災いして、通路に対して駐車枠が斜めに引かれている駐車空間への駐車時等の、初期の目標駐車角度と側方障害物の検知により補正された目標駐車角度との傾きズレが大きいシーンにおいて、何度も切り返しを要するといった課題があった。
【００６３】
これに対して、上述の構成によれば、直線らしさ（直線度や直線部分の長さ）に応じて、一度の切り返しで補正する車両角度の上限値を変化させる。具体的には、直線らしさが高いほど、付帯物等による車両対向面の輪郭形状の誤検知が生じていない可能性が高いので、直線らしさが高いほど、上限値を高く変化させる構成とすればよい。
【００６４】
一例としては、直線らしさが第１の閾値以上の場合には、上限値をデフォルトよりも高く変化させる一方、直線らしさが第２の閾値以下の場合には、上限値をデフォルトよりも低く変化させる構成とすればよい。
【００６５】
ここで言うところの第１の閾値は、任意に設定可能な値である。また、第２の閾値は第１の閾値未満の値であって、任意に設定可能な値である。また、ここでの閾値判定に用いる直線らしさは、自車Ａの左右の車両対抗面の両方のものであってもよいし、直線らしさがより高い側のものであってもよい。
【００６６】
以上の構成によれば、直線らしさが高く、付帯物等による車両対向面の輪郭形状の誤検知が生じていない可能性が高い場合には、上限値を高く変化させることで、より少ない切り返し回数で目標駐車角度の補正を完了できるようにすることができる。また、直線らしさが低く、付帯物等による車両対向面の輪郭形状の誤検知が生じている可能性が高い場合には、上限値を低く変化させることで、誤った方向への目標駐車角度の補正が大きく行われる可能性を低減することができる。
【００６７】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００６８】
１  駐車支援ＥＣＵ（駐車支援装置）、３・３ａ・３ｂ  後部測距センサ（測距センサ）、Ｓ５・Ｓ１０・Ｓ１１・Ｓ１２  支援手段、Ｓ７  センサ情報取得手段、Ｓ８  直線性決定手段
【図１】
2014034321.tif 000003
【図２】
2014034321.tif 000004
【図３】
2014034321.tif 000005
【図４】
2014034321.tif 000006
【図５】
2014034321.tif 000007
【図６】
2014034321.tif 000008
【図７】
2014034321.tif 000009